(57)【要約】【課題】  電源プラグの嵌合ゆるみを防止すると共に、意思をもって電源プラグを外す際は簡単に外すことを可能とする。  【解決手段】  本発明では、フレームに前面板を取り付けたキャビネットと、前記キャビネットに取り付けられる便器本体と、前記キャビネット内に配置されたコンセントと、を備えたトイレ装置において、前記フレームは一部に前記コンセントを固定するコンセント固定プレートを有し、前記コンセントは前記コンセント固定プレートに固定され、前記コンセントに接続される電源プラグ近傍の電源コードを前記コンセント固定プレートに固定する電源コード固定手段を有することを特徴とするキャビネット付トイレ装置が提供される。【選択図】  図３
2011030715.tif 000002
【特許請求の範囲】
【請求項１】
フレームに前面板を取り付けたキャビネットと、
前記キャビネットに取り付けられる便器本体と、
前記キャビネット内に配置されたコンセントと、を備えたトイレ装置において、
前記フレームは一部に前記コンセントを固定するコンセント固定プレートを有し、
前記コンセントは前記コンセント固定プレートに固定され、
前記コンセントに接続される電源プラグ近傍の電源コードを前記コンセント固定プレートに固定する電源コード固定手段を有することを特徴とするキャビネット付トイレ装置
【請求項２】
前記電源プラグは前記電源コードと略垂直に接続されており、
前記コンセントの前面と、前記電源コードの固定位置が略面一となっていることを特徴とする請求項１に記載のキャビネット付トイレ装置
【請求項３】
前記コンセントは前記キャビネットの前記便器本体方向へ電源プラグを抜き差しできるように固定されていることを特徴とする請求項２に記載のキャビネット付トイレ装置
【発明の詳細な説明】
【技術分野】
【０００１】
本発明は、トイレ用キャビネットに係り、特に電源プラグの脱落を防止するトイレ用キャビネットに関する発明である。 
【背景技術】
【０００２】
近年、温水洗浄便座を初めとする様々な機能ユニットを搭載した便器システムが提案されている。このような便器システムでは、機能ユニットを動作させるために、電源接続が必要であり、トイレルーム内に電源コンセントを設けることがごく一般的に行われている。
【０００３】
一方、トイレルーム内においては水が飛散する可能性が高く、電源コンセントを露出させた場合、コンセントに水がかかる危険性があるが、これは安全の面から見て好ましくない。このため、電源コンセントをトイレキャビネット内に設け、隠蔽することが行われている。（例えば、特許文献１や２）
また、不特定多数の使用者があるトイレにおいては、電源コンセントが露出しているといたずらされて破損したり、感電などの事故を引起す危険性もあるため、使用者の方が簡単に触れないよう、コンセントをキャビネット内に隠蔽することが行われている。
しかしながら、電源コンセントを隠蔽した場合、電源プラグが脱落する、あるいは半挿の状態となってしまった場合に、気づきにくいという課題があった。
【０００４】
また、トイレキャビネット内には電気配線と同時に、給排水配管が収納されており、便器洗浄時に、配管内の水流に由来する振動が繰返し発生することによって、電源プラグに嵌合ゆるみが発生しやすい。このような課題を解決するための手段として、一般的に用いられる電源プラグ固定構造（例えば、特許文献３）が考えられるが、このような手段で電源プラグを固定してしまった場合、緊急時など咄嗟に外す必要性がある場合、狭いトイレキャビネット内に手を差し込んで電源プラグを抜き差しすることが困難となってしまう。
また、電源プラグ形状が異なる場合、その形状に合せた係止部材を個々に用意する必要性もある。
【先行技術文献】
【特許文献】
【０００５】
【特許文献１】特開平１０−１９２１９３
【特許文献２】特開平０３−１４４０２８
【特許文献３】特開平０７−１６１４０２
【発明の概要】
【発明が解決しようとする課題】
【０００６】
本発明は、上記問題を解決するためになされたもので、本発明の課題は、電源コンセントを内蔵し、電源プラグの脱落・抜け落ちを防止するトイレルーム用キャビネットを提供することである。
【課題を解決するための手段】
【０００７】
上記目的を達成するために請求項１記載の発明によれば、フレームに前面板を取り付けたキャビネットと、前記キャビネットに取り付けられる便器本体と、前記キャビネット内に配置されたコンセントと、を備えたトイレ装置において、前記フレームは一部に前記コンセントを固定するコンセント固定プレートを有し、前記コンセントは前記コンセント固定プレートに固定され、前記コンセントに接続される電源プラグ近傍の電源コードを前記コンセント固定プレートに固定する電源コード固定手段を有することを特徴とするキャビネット付トイレ装置が提供される。
これによれば、電源プラグ自身は固定されていないため電源プラグ自身の抜き差しは可能でありながら、フレームを経由して排水の振動が電源プラグに伝わって発生する嵌合ゆるみを防止することが可能となる。
【０００８】
また、請求項２記載の発明によれば前記電源プラグは前記電源コードと略垂直に接続されており、前記コンセントの前面と、前記電源コードの固定位置が略面一となっていることを特徴とする請求項１に記載のキャビネット付トイレ装置が提供される。
これによれば、電源プラグと電源コードとの接続部に応力がかかることによる電源コードの破損を防止することが可能である。
【０００９】
また、請求項３記載の発明によれば前記コンセントは前記キャビネットの前記便器本体方向へ電源プラグを抜き差しできるように固定されていることを特徴とする請求項２に記載のキャビネット付トイレ装置が提供される。
これによれば、電源プラグの抜き差し方向が作業者の手前側となるため、電源プラグの抜き差しが容易に行える。
【発明の効果】
【００１０】
本発明によれば、電源プラグの嵌合ゆるみを防止すると共に、意思をもって電源プラグを外す際は簡単に外すことが可能となるという効果がある。
【図面の簡単な説明】
【００１１】
【図１】本発明のキャビネット１４の側方断面図である。
【図２】本発明のキャビネット１４の正面図である。
【図３】本発明の電源コンセント８近傍を示す正面拡大図である。
【図４】本発明の電源コンセント８近傍を示す側面拡大図である。
【図５】電源コンセント８とコンセント固定プレート１２、電源コード１０の位置関係を示す側面拡大図である。
【発明を実施するための形態】
【実施例】
【００１２】
以下に、本発明の実施例について図を用いて説明する。
図１は本発明に係るキャビネット１４の側方断面図である。大便器１がキャビネットフレーム７に取り付けられており、大便器１の上部には温水洗浄便座２が取り付けられている。また、キャビネットフレーム７にはキャビネット仕上げパネル３が取り付けられ、キャビネット１４を構成している。
このキャビネット１４の内部には給水管４、排水通気管５、フラッシュバルブ６などが収納・隠蔽されている。
【００１３】
キャビネットフレーム７に設けられたコンセント固定プレート１２には、電源コンセント８が設けられている。この電源コンセント８は電気の屋内配線に接続されており、このコンセント８に電源コード１０の先端にとりつけられたコンセントプラグ９を差し込むことで、温水洗浄便座に電源を供給する。
【００１４】
温水洗浄便座２の背面から取り出された電源コード１０はキャビネット仕上げパネル３を貫通して、キャビネット１４内部に引き込まれている。
【００１５】
図２に本発明に係るキャビネット１４の正面図を示す。なお、ここでは説明のために、便器設置部左右のキャビネット仕上げパネル３を省略してある。
キャビネット１４内部に引き込まれた電源コード１０は、その先端のコンセントプラグ９を電源コンセント８に差込・接続されている。また、このとき、電源コード１０のコンセントプラグ９近傍を電源コード係止バンド１１によって、コンセント固定プレート１２の一部に設けられた孔に係止させている。
これにより、コンセントプラグ９が電源コンセント８から自然脱落することを防止していると同時に、コンセントプラグ９自身は固定されていないため、意思をもって取り外す場合には容易に取り外すことが可能である。
【００１６】
また、温水洗浄便座２の電源コード取出し位置の左右方向に電源コンセント８を設けることで、コンセントプラグ９が挿し込まれた状態で、清掃等により温水洗浄便座２を前に引出す作業を行っても、コンセントプラグ９が電源コンセント８から外れるような力が働かないよう配慮している。
【００１７】
図３（ａ）に電源コンセント８近傍の正面拡大図を示す。図３（ｂ）は図３（ａ）のＡ−Ａ断面図である。
電源コード係止バンド１１は電源コード１０の径によらず、様々な径の電源コードを固定できるように、固定径を調整する調整機能を有している。
【００１８】
図４（ａ）に電源コンセント８近傍の側面拡大図を示す。電源コード１０はコンセントプラグ９近傍を電源コード係止バンド１１によって、コンセント固定プレート１２の電源コンセント８の下側に固定されている。
図４（ｂ）に示すように、コンセントプラグ９から一定距離を確保して電源コード１０を固定することで、電源コンセント８からコンセントプラグ９を抜いた際に、コンセントプラグ９はその自重で下に垂れ下がる。このとき、電源コード１０はコンセント固定プレート１２に固定されているため、コンセントプラグ９のみが、下方に垂れさがる形となる。
これにより、電源コード１０コードの剛性により、自然にコンセントプラグ９が電源コンセント８近傍に戻り、半挿状態となってしまうことを防ぐことが出来る。
【００１９】
本発明においては、図５（ｃ）にしめすように、コンセント固定プレート１２をまっすぐにし、電源コード１０を湾曲させて電源コード係止バンド１１によって固定してもよい。
なお、図４（ａ）に示すように電源コンセント８と電源コード係止バンド１１の前面位置は略面一となっていることがより好ましい。これにより、電源コード１０は湾曲させずに固定することが可能となり、常時、応力がかかることを防止できる。
【００２０】
また、図５（ａ）に示すようにコンセント固定プレート１２を上下で分割し、それぞれ前後方向に調整可能にすることで、コンセントプラグ９の形状が異なっても電源コンセント８と電源コード係止バンド１１の前面位置を略面一にすることができる。
また、図５（ｂ）に示すように、電源コード係止バンド１１の位置がコンセントプラグ９から離れすぎないよう、下部に存在するコンセント固定プレート１３に上下２箇所にバンド取り付け用の加工を施すことで、コンセントプラグ８の形状・サイズによらず、抜け防止を図れる位置で電源コード１０の保持が可能である。
【００２１】
なお、本発明はここで説明した実施例に限られるものではなく、本発明を逸脱しない範囲において自由に設計変更することが可能である。
例えば、キャビネットに取り付けられる便器は大便器に限らず、小便器であってもよく、電源コードは温水洗浄便座に電源を供給するものに限らず、その他の電源を必要とする機器、例えば温水器や人体検知センサ、便器洗浄用ポンプなどに電源を供給するものであってもよい。
また、電源コード１０を固定する手段は電源コード係止バンド１１に限らず、嵌合式の係止金具や挟み込むクリップのようなものであってもよい。
【符号の説明】
【００２２】
１…大便器
２…温水洗浄便座
３…キャビネット仕上げパネル
４…給水管
５…排水通気管
６…フラッシュバルブ
７…キャビネットフレーム
８…電源コンセント
９…コンセントプラグ
１０…電源コード
１１…電源コード係止バンド
１２…コンセント固定プレート
１３…コンセント固定プレート
１４…キャビネット
【図１】
2011030715.tif 000003
【図２】
2011030715.tif 000004
【図３】
2011030715.tif 000005
【図４】
2011030715.tif 000006
【図５】
2011030715.tif 000007